(57)【要約】      （修正有） 【課題】二つ折りの財布に３箇所の札入れ、３箇所の小銭入れを設け、そこに入れる各費目の予算の流用を防止できる財布を提供する。  【解決手段】二つ折りの財布の札入れ部分を布の間仕切り３，４により「１週間分の食費」１２、「食費以外の家計費」１３、「プライベートのお金」１４と３箇所設け、さらに蛇腹状に開閉可能な小銭入れポケットを「１週間分の食費」「食費以外の家計費」「プライベートのお金」と３箇所設け、小銭入れのポケットには３ヶ所ともファスナーと、間仕切りと、カード入れを設けることで、予算の流用を防ぎ、３つの費目の家計管理・節約に役立つ様に構成する。【選択図】図１
0003150610.tif 000002
【実用新案登録請求の範囲】
【請求項１】
広げたときの大きさが１万円札の一回り大きいの長方形の本体１を曲げ部分２で折り曲げることにより、折りたたみ可能にし、長方形の長い一辺が札入れ口の部分で、その札入れ部分に布の間仕切り布３、４を２枚設け、札入れ部分を「１週間の食費」「食費以外の家計費」「プライベートのお金」と３ヶ所とし、さらに長方形の短い一辺５を連結・底辺とし、財布を二つ折りにした中央部分を開け口として蛇腹状に伸縮可能な小銭入れポケットを「１週間の食費」「食費以外の家計費」「プライベートのお金」と３ヶ所６、７、８と設け、それぞれの小銭入れポケットにひとつの間仕切り９a、９b、９cを設け、間仕切り両サイドにマチ、さらにカード入れポケットを設け３ヶ所の小銭入れポケットには、３ヶ所全てにファスナー１０a、１０b、１０cを設け、ファスナーでの開閉部分を小銭入れポケットの上部と横一辺とすることを特徴とする財布。
【請求項２】
３つの小銭入れポケットのファスナー部分のうち、両側のポケットのファスナー部分より、中央のポケットのファスナー部分は、5ミリから１センチほど、下がっている財布。
【請求項３】
財布の折り目部分内側にペン入れの紐１１を設けた財布
【考案の詳細な説明】
【技術分野】
【０００１】
本考案はファスナー付き小銭入れポケットを3箇所、及び、札入れ部分を
3カ所、ペン入れ紐を設けた財布に関するものである。
【背景技術】
【０００２】
店で支払いをする際に、食費や雑費、プライベートの費用などを同一の財
布から出すと、その月に食費にいくら使ったか、分からないまま使いすぎ、次の給料日前になると貯金はおろか、赤字になってしまっていたので、財布を食費用と、食費以外の家計費用と、プライベートのお金要とに分けて持ったが、かさばり、精算の際に手間どった。
【０００３】
領収書のない買い物では、何にいくら使ったか、後でわからなくなって、
家計管理に支障をきたしていた。
【先行技術文献】
【非特許文献】
【０００４】
【非特許文献１】URL：1233797619890_0.jpg
【考案の概要】
【考案が解決しようとする課題】
【０００５】
財布を「食費用」「食費以外の家計費」「プライベートのお金」と、３つ
持ち歩くことは、経済的負担も大きく、バッグの中もかさばり、精算に時間と手間を要する。従って、３つの財布の役割をひとつにすれば、経済的負担も、かさ張ることも軽減され、前述の欠点を解決しようとするものである。
【０００６】
小銭入れ、及び、札入れ共に、一箇所、または2か所しかない場合は、や
りくり、予算管理が、容易ではない。従って、小銭入れ、及び、札入れは３ヶ所設けることで、前述の欠点を解決しようとするものである。
【０００７】
小銭入れポケット部分には全てにファスナーがついていないと、小銭がこ
ぼれ落ち、どこのポケットのお金だったかさえ分からなくなってしまう。従って、小銭入れポケット全てにファスナーを設けることで、前述の欠点を解決しようとするものである。
【０００８】
ポイントカードなどのカード類の使用機会は、３つの費目によってある程
度決まってくるので、カード入れが３つの費目のポケット部分にそれぞれないと、精算の際に手間取る。従って、小銭入れポケット部分全てに、カード入れを設けることで、カードの出し入れの手間を省くことができ、前述の欠点を解決することができる。
【０００９】
財布に筆記具が付帯されていないと、領収書のない買い物については、後
から家計簿に記帳する際に、証拠がないので、家計管理ができない。従って、財布内側に筆記具を付帯できる紐を設けることで、領収書のない買い物でも、その場で財布内の他の領収書などの紙にメモをすることが可能となり、前述の欠点を解決しようとするものである。
【００１０】
先行文献の「やりくり主婦の貯蓄財布」は、仕分けポケットが９つ、ファ
スナーポケットが６つある長財布だが、大きさが縦１４．５センチ、横２０．５センチで、厚みが約６センチであり、バッグに入れる際に場所を取り、かさばる。従って、分けるお金は「食費」と「食費以外の家計費」と「プライベートのお金」と３種類に限定することで、大きさは二つ折りというコンパクトにすることが可能になり、前述の欠点を解決しようとするものである。
【課題を解決するための手段】
【００１１】
広げたときの大きさが１万円札の一回り大きいの長方形の本体１を曲げ
部分２で折り曲げることにより、折りたたみ可能にし、長方形の長い一辺が札入れ口の部分で、その札入れ部分に布の間仕切り布３、４を２枚設け、札入れ部分を「１週間の食費」「食費以外の家計費」「プライベートのお金」の３ヶ所とし、さらに長方形の短い一辺５を連結・底辺とし、財布を二つ折りにした中央部分を開け口として蛇腹状に伸縮可能な小銭入れポケットを「１週間の食費」「食費以外の家計費」「プライベートのお金」と３ヶ所６、７、８と設け、それぞれの小銭入れポケットにひとつの間仕切り９a、９b、９cを設け、間仕切り両サイドにマチ、さらにカード入れポケットを設け３ヶ所の小銭入れポケットには、３ヶ所全てにファスナー１０a、１０b、１０cを設け、ファスナーでの開閉部分を小銭入れポケットの上部と横一辺とすることを特徴とすることで問題点を解決している。
【００１２】
本考案は、３つの小銭入れポケットのファスナー部分のうち、両側のポケ
ットのファスナー部分より、中央のポケットのファスナー部分は、5ミリから１センチほど、下がっている財布である。
【００１３】
財布の折り目部分内側にペン入れの紐１１を設けることで問題点を解決
している。
【考案の効果】
【００１４】
上述のように、本考案の３費目やりくり節約財布は、財布に入れるお金を
小銭、及び、札ともに「1週間の食費用」「食費以外の家計費」「プライベート用のお金」と分けることで、１ヶ月の食費やそれ以外の家計費を予算以内でのやりくりが容易になり、予算オーバー防止、節約、家計管理に役立つ。
【００１５】
上述のように、本考案は、3カ所の小銭入れポケット全てに、ファスナー
をつけたので、ポケット内の小銭が飛び出したり、飛び出したお金が、何の費目のお金だったか、わからなくなることが防げる。
【００１６】
上述のように、本考案は、3カ所の小銭入れポケット全てにマチを設けた
ので、手を差し込みやすく、内側に仕切りを設けたので、小銭以外の領収書入れにも役立ち、ポケット内側にカード入れを設けたので、カードに使用機会の多い費目のポケットに入れておくことで、カードが取り出しやすくなる。
【００１７】
上述のように、本考案は、3カ所の小銭入れポケットのファスナー部分の
高さを、両サイドより中央を5ミリから１センチほど、低くしたので、ファスナーが重なり合って、厚みを増すのを防ぐことができる。
【００１８】
上述のように、本考案は、財布に常に筆記具を付帯させることで、領収
書のない買い物であっても、財布内の領収書の裏などに、その場でお金を
いつ、何処で、何に、いくら使ったかをメモし、後の家計簿記帳、家計管
理に役立てることができる。
【図面の簡単な説明】
【００１９】
【図１】本考案の3費目やりくり節約財布を開いた状態の指し説明図である。
【図２】本財布の小銭入れポケットの部分図である。
【図３】本財布の開いた状態を横から見た図である。
【図４】本財布を開いた状態を斜め下から見た図である。
【考案を実施するための形態】
【００２０】
財布の型は２つ折りたたみ式財布とする。折りたたんだときは、両端をス
ナップのついた帯で留めて、開かないようにする。使用時は、折りたたみ式財布を開き、札入れ部分に２つの間仕切りをつけることで、札入れは３カ所となる。また、小銭入れポケットは３カ所ともファスナーをつけ、それぞれに間仕切りとマチを設け、ポケットの中にカード入れポケットをしつらえる。また、３つのファスナー同士が重なり合って厚みが増すのをを防ぐために、中央の小銭入れポケットは5ミリから１センチほど深さを浅くし、段差をつける。
【実施例】
【００２１】
財布１を、小銭いれ部分と札入れ部分に分け、さらに小銭入れ部分を「1
週間分の食費入れ」６、「食費以外の家計費入れ」７、「プライベートのお金いれ」８、とし、札入れ部分も「1週間分の食費入れ」１２、「食費以外の家計費入れ」１３、「プライベートのお金入れ」１４を設ける。
【００２２】
小銭入れ６、７、８には、３箇所のポケット全てにファスナー１０a、
１０b、４１、を設け、マチ１５、１６、１７、１８、１９、２０、２１、２２、２３、２４、２５、２６を設け、内側に間仕切り９a、９b、９cとカード入れポケット２７、２８、２９を設ける。
【００２３】
各小銭入れポケット６、７、８は、蛇腹状に開いた時に角度が一カ所につ
き60度程度が好ましい。
【００２４】
ペン入れの紐１１を財布の内側中央折り目部分に設ける。
【符号の説明】
【００２５】
１  財布本体  
２  財布を二つ折りにしたときの中央の曲げの部分
３  札入れの間仕切り布
４  札入れの間仕切り布
５  小銭入れの底辺、連結部分
６  「１週間分の食費」の小銭入れ
７  「食費以外の家計費」の小銭入れ  
８  「プライベートのお金」の小銭入れ
９  小銭入れ内部の間仕切り
１０小銭入れ上部と横１辺部分のファスナー
１１ペン入れ用紐
１２「１週間分の食費」の札入れ
１３「食費以外の家計費」の札入れ
１４「プライベートのお金」の札入れ
１５小銭入れのマチ
１６小銭入れのマチ
１７小銭入れのマチ
１８小銭入れのマチ
１９小銭入れのマチ
２０小銭入れのマチ
２１小銭入れのマチ
２２小銭入れのマチ
２３小銭入れのマチ
２４小銭入れのマチ
２５小銭入れのマチ
２６小銭入れのマチ
２７カードいれポケット
２８カードいれポケット
２９カードいれポケット
３０小銭入れを開いたときの角度
【図１】
0003150610.tif 000003
【図２】
0003150610.tif 000004
【図３】
0003150610.tif 000005
【図４】
0003150610.tif 000006
【手続補正書】
【提出日】平成21年3月12日(2009.3.12)
【手続補正１】
【補正対象書類名】実用新案登録請求の範囲
【補正対象項目名】全文
【補正方法】変更
【補正の内容】
【実用新案登録請求の範囲】
【請求項１】
広げたときの大きさが１万円札の一回り大きい長方形の本体１を曲げ部分２で折り曲げることにより、折りたたみ可能にし、長方形の長い一辺が札入れ口の部分で、その札入れ部分に布の間仕切り布３、４を２枚設け、札入れ部分を「１週間の食費」「食費以外の家計費」「プライベートのお金」と３ヶ所とし、さらに長方形の短い一辺５を連結・底辺とし、財布を二つ折りにした中央部分を開け口として蛇腹状に伸縮可能な小銭入れポケットを「１週間の食費」「食費以外の家計費」「プライベートのお金」と３ヶ所６、７、８と設け、それぞれの小銭入れポケットにひとつの間仕切り９a、９b、９cを設け、間仕切り両サイドにマチ、さらにカード入れポケットを設け３ヶ所の小銭入れポケットには、３ヶ所全てにファスナー１０a、１０b、１０cを設け、ファスナーでの開閉部分を小銭入れポケットの上部と横一辺とすることを特徴とする財布。
【請求項２】
３つの小銭入れポケットのファスナー部分のうち、両側のポケット
のファスナー部分より、中央のポケットのファスナー部分は、５ミリから１センチほど、下がっていることを特徴とする請求項１に記載の財布。
【請求項３】
財布の折り目部分内側にペン入れの紐１１を設けたことを特徴とす
る請求項１に記載の財布。